(57)【要約】      （修正有）【課題】使用者に粉体物質の必要量を提供でき、使用者の使用に便利を提供すると共に粉物質は汚染されない定量供給装置を提供する。【解決手段】台座１を備え、台座の片方に粉物質を台座の外部に落とさせる貫通孔１２が設けられ、台座の上方に供給皿２が枢接され、供給皿の周縁に多数のノッチ２３が間隔を置いて設けられ、ノッチは供給皿が回転したとき順に追って貫通孔の上方を通過する。台座の表面に缶体３を被せ、缶体の内部に粉物質を収容する収容空間３１を備え、収容空間の内面にスクラッチプレートを横向きに突設され、スクラッチプレートは供給皿の基部表面と枢接穴の上方場所に位置する。【選択図】図２
0003160454.tif 000002
【実用新案登録請求の範囲】
【請求項１】
台座と、供給皿と、缶体を含み、
前記台座は、中央付近部に枢接穴を備え、該枢接穴の片方に粉物質を台座の外部に落とさせる貫通孔が設けられ、
前記供給皿に基部が設けられ、前記基部の底面は枢接穴に枢接することのできる枢接軸を下方に延設し、かつ前記基部の周縁は多数のノッチが間隔を置いて設けられ、
缶体を前記台座の表面に被せ、該缶体の内部に粉物質を収容する収容空間を設け、該収容空間の内面にはスクラッチプレートが横向きに突設され、該スクラッチプレートは前記供給皿の前記基部表面と前記枢接穴の上方場所に位置する、ことを特徴とする定量供給装置。
【請求項２】
前記台座の周縁に多数の固定孔が設けられ、前記缶体外面の下方に突起塊を横向きに延設され、かつ前記突起塊の表面は固定孔を対向して通し孔が設けられ、固定具を前記通し孔にくぐらして固定孔に固定され、前記缶体を前記台座へ安定に固定することを特徴とする請求項１記載の定量供給装置。
【請求項３】
前記台座はさらに駆動装置を備え、前記駆動装置は前記供給皿の前記枢接軸に接続され、前記供給皿は前記基部表面の中央場所はテーパー状の滑り駒が上向きに延設され、前記滑り駒の上面は攪拌板が延設されていることを特徴とする請求項１記載の定量供給装置。
【考案の詳細な説明】
【技術分野】
【０００１】
本考案は一種の定量供給装置に関し、特に粉体物質を定量に量り使用者に便利を提供できる定量供給装置に関する。
【背景技術】
【０００２】
市販の粉ミルク缶に計量カップが添付されていて、使用者はミルクを作るときに計量カップのカップ数により乳児の必要な粉ミルクの量の定量が行われている。
【考案の概要】
【考案が解決しようとする課題】
【０００３】
しかし、ほとんどの使用者はミルクを作るときに計量カップを手で持ち、計量後の計量カップを粉ミルクの缶に戻している。手にバイ菌が非常に多いに加えて乳児の抵抗力が極めて弱い。よって、乳幼児の病気原因の一つとなっている。さらに、ミルクを作るほか、コーヒーその他のドリンクを作るときにも同様な問題が起こりうる。
【課題を解決するための手段】
【０００４】
本考案の主な目的は粉体物質を量供給装置に収納することによって、定量供給装置より使用者に必要な粉体物質を提供でき使用者の使用に便利を提供するほか、粉体物質は汚染される恐れがない。
【０００５】
前述目的を達成するため、本考案に台座を設け、台座の片方に粉ミルクを台座外部に落とさせる貫通孔を備え、台座の上方に供給皿が枢接され、該供給皿の周縁に多数のノッチが繞設され、ノッチは供給皿が回転するときに順に追って貫通孔の上方を通過する。台座の表面に缶体を被せ、缶体内部に粉ミルクを収容する収容空間が設けられ、該収容空間の内面にスクラッチプレートを横向きが突設され、該スクラッチプレートは供給皿の表面と枢接穴の上方に位置する。
【図面の簡単な説明】
【０００６】
【図１】本考案の局所断面の立体外観図である。
【図２】本考案の立体分解図である。
【図３】本考案の上視図である。
【図４】本考案図３のＡ−Ａ断面線の断面図である。
【図５】本考案の実施例の局所断面の立体外観図である。
【考案を実施するための形態】
【０００７】
以下、添付図面を参照して本考案の実施の形態を詳細に説明する。
【実施例】
【０００８】
図１と２を参照する。図から明かのように、本考案の定量供給装置は台座１と、供給皿２と、缶体３と駆動装置４とを含む。
【０００９】
そのうち、該台座１の中央付近部に枢接穴１１を備え、枢接穴１１の片方に粉ミルクを台座１外部に落とさせる貫通孔１２が設けられ、かつ台座１の周縁に多数の固定孔１３が設けられている。
【００１０】
該供給皿２に基部２１が設けられおり、基部２１の底面は枢接軸２２が下方に延設され、基部２１の周縁に多数のノッチ２３が間隔を置いて設けられ、基部２１表面の中央場所にテーパー状の滑り駒２４が延設されており、滑り駒２４の上面に攪拌板２４１を横向きに突設されている。
【００１１】
該缶体３の内部に粉ミルクを収容する収容空間３１を備え、収容空間３１の内面にスクラッチプレート３１１を横向きに突設され、缶体３の外側の下方に多数の突起塊３２を横向きに延設され、かつ突起塊３２の表面は固定孔１３を対向して通し孔３２１が設けられている。
【００１２】
駆動装置４はたとえばモーターである。
【００１３】
本考案は組み合わせるときに、まず供給皿２を台座１の表面に置き、供給皿２の枢接軸２２を台座１の枢接穴１１にくぐらして、缶体３を台座１の表面に被せた後、固定具３３を通し孔３２１にくぐらせて固定孔１３に固定することによって、缶体３を台座１に安定固定ができる。このとき、缶体３のスクラッチプレート３１１は供給皿２の基部２１表面と枢接穴１１の上方に位置する。引き続き、駆動装置４を台座１の底面に露出された枢接軸２２に接続して、本考案の組合せ作業を完成する。
【００１４】
続いて、図３と４を参照する。図から明かのように、本考案を使用するときに、まず粉物質を缶体３の収容空間３１に移す。
このとき、粉物質はスクラッチプレート３１１の外部に露出されたノッチ２３に落とされる。一方、基部２１の下方に台座１によって係止されるため、粉物質はノッチ２３から下の方に落ちることはない。
駆動装置４を作動させ、駆動装置４によって供給皿２を回転させ、供給皿２が回転すると、ノッチ２３は順に追って缶体３のスクラッチプレート３１１の下方に進入され、ノッチ２３の上方の粉物質はスクラッチプレート３１１によって係止し削り取られる。
ノッチ２３が台座１の貫通孔１２の上方に回転したとき、ノッチ２３内部の粉物質は貫通孔１２の位置から台座１に落とされる。ノッチ２３の底面は台座１によって係止されて、ノッチ２３が貫通孔１２の上方に移動されたときもスクラッチプレート３１１によってその上方の粉物質を削り取られる。よって、毎回貫通孔１２より落とす粉物質はノッチ２３の容量に同じ量である。使用者が便利に使用でき、粉物質も汚染されない。
【００１５】
さらに、駆動装置４はあらかじめに行程を設定できる。使用者は使用のときに、駆動装置４によって供給皿２を一定距離に回転させ、一定数のノッチ２３を貫通孔１２に通過させるなどを設定できる。該駆動装置４の電気制御技術は当業者の熟知するものであり、その説明を省略する。
【００１６】
基部２１表面の中央場所に上方に延設するテーパー状の滑り駒２４は粉物質を下方に案内させ、粉物質をノッチ２３へ容易に落とさせる設計であり、該滑り駒２４の上面に延設する攪拌板２４１は供給皿２と同時に回転し収容空間３１内部の粉物質を攪拌させ、粉物質のケーキングにより下方に落ちないことを防止する。
【００１７】
引き続き図５を参照する。図から明かのように、該缶体３の収容空間３１の上方に蓋部材３４が設けられ、該蓋部材３４を缶体３の上方に被せておき、収容空間３１の密閉環境を形成することによって、収容空間３１に格納された粉物質を清潔に維持し、缶体３外部の空気または粉塵等による汚染の恐れがない。該攪拌板２４１は十字形を形成し収容空間３１内部の粉物質をさらに攪拌させ、粉物質のケーキングにより下方に落ちることを有効に防止できる。
【符号の説明】
【００１８】
１      台座
１１    旋転孔
１２    貫通孔
１３    固定孔
２      供給皿
２１    基部
２２    枢軸
２３    ノッチ
２４    滑り駒
２４１  攪拌板
３      缶体
３１    収容空間
３１１  スクラッチプレート
３２    突起塊
３２１  通し孔
３３    固定具
３４    蓋部材
４      駆動装置
【図１】
0003160454.tif 000003
【図２】
0003160454.tif 000004
【図３】
0003160454.tif 000005
【図４】
0003160454.tif 000006
【図５】
0003160454.tif 000007